(57)【要約】赤色（Ｒ）、青色（Ｂ）及び緑色（Ｇ）のいずれか一つの特定の色光を第１円偏光方向を持つように、そして前記特定の色光以外の他の２個の色光を第２円偏光方向を持つようにそれぞれ照射する第１ディスプレイパネルモジュールと、前記特定の色光を前記第２円偏光方向を持つように、そして前記特定の色光以外の他の２個の色光を前記第１円偏光方向を持つようにそれぞれ照射する第２ディスプレイパネルモジュールとを含むプロジェクタと；左側映像イメージの前記特定の色光、及び右側映像イメージの前記特定の色光以外の他の２個の色光で構成された第１映像と、前記右側映像イメージの前記特定の色光、及び前記左側映像イメージの前記特定の色光以外の他の２個の色光で構成された第２映像をそれぞれ前記第１ディスプレイパネルモジュール及び前記第２ディスプレイパネルモジュールに時間的に交互に提供するプレーヤとを含む立体映像上映システムに関するものである。
2013544371.tif 000002
【特許請求の範囲】
【請求項１】
赤色（Ｒ）、青色（Ｂ）及び緑色（Ｇ）のいずれか一つの特定の色光を第１円偏光方向を持つように、そして前記特定の色光以外の他の２個の色光を第２円偏光方向を持つようにそれぞれ照射する第１ディスプレイパネルモジュールと、
前記特定の色光を前記第２円偏光方向を持つように、そして前記特定の色光以外の他の２個の色光を前記第１円偏光方向を持つようにそれぞれ照射する第２ディスプレイパネルモジュールとを含むプロジェクタと、
左側映像イメージの前記特定の色光、及び右側映像イメージの前記特定の色光以外の他の２個の色光で構成された第１映像と、前記右側映像イメージの前記特定の色光、及び前記左側映像イメージの前記特定の色光以外の他の２個の色光で構成された第２映像をそれぞれ前記第１ディスプレイパネルモジュール及び前記第２ディスプレイパネルモジュールに時間的に交互に提供するプレーヤと、を含む、立体映像上映システム。
【請求項２】
前記第１映像及び前記第２映像のそれぞれの最大の映像の大きさは、前記プロジェクタが処理可能な最大の映像の大きさに対応する、請求項１に記載の立体映像上映システム。
【請求項３】
前記第１ディスプレイパネルモジュール及び前記第２ディスプレイパネルモジュールのそれぞれは、前記赤色（Ｒ）、青色（Ｂ）及び緑色（Ｇ）の光をそれぞれディスプレイする３個のディスプレイパネルを含む３板式ディスプレイパネルモジュールである、請求項１に記載の立体映像上映システム。
【請求項４】
前記第１ディスプレイパネルモジュールが照射する３色の光は透過させ、前記第２ディスプレイパネルモジュールが照射する３色の光は反射させるハーフミラー（ｈａｌｆ−ｍｉｒｒｏｒ）をさらに含む、請求項３に記載の立体映像上映システム。
【請求項５】
前記プレーヤは、
前記第１映像及び前記第２映像をそれぞれ構成する映像構成モジュールと、
前記第１映像及び前記第２映像を時間的に交互に前記プロジェクタに出力する出力部と、を含む、請求項１に記載の立体映像上映システム。
【請求項６】
前記プレーヤは、
前記左側映像イメージ及び前記右側映像イメージをそれぞれ入力される入力部をさらに含み、
前記映像構成モジュールは、前記左側映像イメージの前記特定の色光、及び前記右側映像イメージの前記特定の色光以外の他の２個の色光を組み合わせて前記第１映像を構成し、前記右側映像イメージの前記特定の色光、及び前記左側映像イメージの前記特定の色光以外の他の２個の色光を組み合わせて前記第２映像を構成する、請求項５に記載の立体映像上映システム。
【請求項７】
前記第１ディスプレイパネルモジュール及び前記第２ディスプレイパネルモジュールのいずれか一つが照射する３色の光を、半波長だけ遅延させる遅延モジュールをさらに含む、請求項１に記載の立体映像上映システム。
【請求項８】
前記プロジェクタが処理可能な最大の映像の大きさは、１９２０＊１０８０ピクセルであり、
前記第１映像及び前記第２映像は、それぞれ１９２０＊１０８０ピクセルの大きさを有する、請求項１に記載の立体映像上映システム。
【請求項９】
左側映像イメージの赤色（Ｒ）、青色（Ｂ）及び緑色（Ｇ）のいずれか一つの特定の色光、及び右側映像イメージの前記特定の色光以外の他の２個の色光で構成された第１映像、及び右側映像イメージの前記特定の色光、及び前記左側映像イメージの前記特定の色光以外の他の２個の色光で構成された第２映像をそれぞれ構成する映像構成モジュールと、
前記第１映像及び前記第２映像を時間的に交互に出力する出力部と、を含む、立体映像プレーヤ。
【請求項１０】
前記左側映像イメージ及び前記右側映像イメージをそれぞれ入力される入力部をさらに含み、
前記映像構成モジュールは、前記左側映像イメージの前記特定の色光、及び前記右側映像イメージの前記特定の色光以外の他の２個の色光を組み合わせて前記第１映像を構成し、前記右側映像イメージの前記特定の色光、及び前記左側映像イメージの前記特定の色光以外の他の２個の色光を組み合わせて前記第２映像を構成する、請求項９に記載の立体映像プレーヤ。
【請求項１１】
赤色（Ｒ）、青色（Ｂ）及び緑色（Ｇ）のいずれか一つの特定の色光を第１円偏光方向を持つように、そして前記特定の色光以外の他の２個の色光を第２円偏光方向を持つようにそれぞれ照射する第１ディスプレイパネルモジュールと、
前記特定の色光を前記第２円偏光方向を持つように、そして前記特定の色光以外の他の２個の色光を前記第１円偏光方向を持つようにそれぞれ照射する第２ディスプレイパネルモジュールと、
前記第１ディスプレイパネルモジュールが照射する３色の光は透過させ、前記第２ディスプレイパネルモジュールが照射する３色の光は反射させるハーフミラー（ｈａｌｆ−ｍｉｒｒｏｒ）と、を含み、
前記第１ディスプレイパネルモジュール及び前記第２ディスプレイパネルモジュールのそれぞれは、前記赤色（Ｒ）、青色（Ｂ）及び緑色（Ｇ）の光をそれぞれディスプレイする３個のディスプレイパネルを含む３板式ディスプレイパネルモジュールである、立体映像用プロジェクタ。
【発明の詳細な説明】
【技術分野】
【０００１】
本発明は、立体映像上映システムに係り、具体的に、フルＨＤで立体映像の上映が可能な家庭用立体映像上映システムと、それを構成する立体映像プレーヤ及び立体映像用プロジェクタに関する。
【背景技術】
【０００２】
一般に、立体映像（または３Ｄ映像）を具現する方法は、人間の両目に互いに異なる映像を映すことによって具現され、立体映像表示装置は、このように両目に互いに異なる映像を映すために別途の眼鏡着用が必要であるか否かによって、眼鏡式立体映像表示装置と非眼鏡式（裸眼方式）立体映像表示装置とに大別される。
【０００３】
そのうち、劇場のような大型スクリーンを通じて上映される立体映像の場合、左右側が互いに垂直する方向の偏光レンズを有した偏光眼鏡を通じて、左側映像と右側映像を区分して透過させる偏光方式が主に用いられている。これは、２台のカメラを用いて映像を撮影し、これら２つの映像を偏光手段を用いて互いに直角偏差を有した重畳映像を一つの画面にディスプレイし、上述した偏光眼鏡を通じて２台のカメラが撮影した映像をそれぞれ左右側の目で見るようにすることで、立体映像を具現する方式である。
【０００４】
図１は、立体映像の上映のための従来の２プロジェクタ方式のシステムの構造を示す図である。
【０００５】
上述したような偏光方式により立体映像を上映するために、従来の２プロジェクタ方式のシステムでは、２台の既存の２次元（２Ｄ）プロジェクタ１，２によって、一方のプロジェクタ１では左側映像を照射し、他方のプロジェクタ２では右側映像を照射するようにして、これらのそれぞれの映像を、偏光方向がそれぞれ垂直である偏光フィルタ３，４を通過させてスクリーン５に照射されるようにする。このようにスクリーン５に照射された左側映像と右側映像とが重畳した映像は、以降に観覧者が着用した偏光眼鏡６の左側映像用レンズ７と右側映像用レンズ８のそれぞれを通じて観覧者の左右の眼に区分されて見えることで、立体感を感じさせる方式である。
【０００６】
上述した方式において、左側映像及び右側映像に互いに異なる偏光を適用することは、線偏光方式及び円偏光方式のいずれによっても可能である。
【０００７】
このような従来の２プロジェクタ方式の立体映像上映システムは、上述したように、既存の２次元映像プロジェクタを２台使用する方式であって、周辺装置も含む場合、システムを構築する費用が非常に高い。また、このように２台のプロジェクタを用いることから、劇場などで同一の数の映画を上映するために必要なプロジェクタの個数は２倍になり、さらに、２台のプロジェクタ間の位置によって左側映像と右側映像がスクリーンに照射される位置が変わるため、正確に両プロジェクタ間の位置が調整されない場合、立体映像の整合度が低下するという問題がある。
【０００８】
一方、最近、３Ｄイメージのディスプレイへの関心が高まるにつれて、家庭用立体映像上映システムに関する研究が進んでおり、高画質の立体映像の具現のために、従来の３板式ＬＣＤプロジェクタを用いることが論議されている。そのために、まず、３板式プロジェクタの基本機能について説明する。
【０００９】
図２は、一般の３板式プロジェクタの機能を説明するための図である。
【００１０】
図２に示されたプロジェクタシステムは、光学系に入射される白色光の光源ランプ１１０、光の明るさの分布を向上させる第１及び第２フライアイレンズ１１２，１１４、フライアイレンズを通過しながら均一に分布した光を偏光させる偏光分離器（ｐｏｌａｒｉｚｉｎｇ  ｂｅａｍ  ｓｐｌｉｔｔｅｒまたはＰＢＳ）、光を集束する集束レンズ１１８，１２０、光の進行方向を変更させる全反射ミラー１２２，１２４，１２６，１２８、赤色と緑色のみをそれぞれ透過させるダイクロイックレンズ（ｄｉｃｈｒｏｉｃ  ｌｅｎｓ）１３０，１３２、赤色、緑色及び青色光をそれぞれ集束させる分離光集束レンズ１４４，１４６，１４８、映像表示機器の映像信号に対応して、赤色、緑色及び青色のそれぞれの透過率を調整する液晶パネル１３４，１３６，１３８、液晶パネルから透過された赤色、緑色、青色透過光を合成するダイクロイックプリズム（ｄｉｃｈｒｏｉｃ  ｐｒｉｓｍ）１４０、及びダイクロイックプリズムからの合成光を出射するプロジェクションレンズ１４２を含むことができる。
【００１１】
本プロジェクタシステムの動作方式について簡単に説明すると、光源１１０から発光された白色光は、偏光分離器１１６で偏光分離され、集束レンズ１１８で集束された後、全反射ミラー１２２で全反射することができる。全反射された光は、集束レンズ１２０で再び集束された後、赤色透過ダイクロイックレンズ１３０を通過しながら赤色はそのまま透過されて進行し、残りの緑色及び青色光はここで再び全反射することができる。
【００１２】
赤色透過ダイクロイックレンズ１３０を透過した赤色光は、全反射ミラー１２４で全反射して、赤色光の透過量を調節する赤色光調節液晶パネル１３４を経てダイクロイックプリズム１４０に入射され、ダイクロイックレンズ１３０で全反射した残りの緑色及び青色光は、青色光透過ダイクロイックレンズ１３２を通過しながら、青色光は透過され、緑色光はここで全反射して緑色光調節液晶パネル１３６を通じてダイクロイックプリズム１４０に入射され得る。
【００１３】
青色光透過ダイクロイックレンズ１３２を透過した青色光は、全反射ミラー１２６，１２８によって全反射して、青色透過液晶パネル１３８を通じてダイクロイックプリズム１４０に入射され得る。このように、ダイクロイックプリズム１４０に入射された赤色、緑色及び青色光は、光合成され、プロジェクションレンズ１４２を通じて前方に出射され得る。各液晶パネルの前方には、赤色、緑色及び青色光をそれぞれ集束させる分離光集束レンズ１４４，１４６，１４８が備えられている。
【００１４】
一方、入射された３色の光のうち、青色透過ダイクロイックレンズ１３２で最終的に分離されて、残りの赤色及び緑色光に比べて進行経路が長い青色光は、青色透過ダイクロイックレンズ１３２と２個の全反射ミラー１２６，１２８のそれぞれの間にある第１リレイレンズ１５０と第２リレイレンズ１５２によって光進行経路の補償を受けることができる。
【００１５】
上記の構造は、色分離のための複数のダイクロイックレンズとミラーを使用しており、ある程度の光経路を割り当てなければならないため、結局、全体光学系が一定程度以上の体積を有しなければならない構造である。したがって、上記の従来のプロジェクションシステム構造は、全体体積が非常にコンパクトにならなければならない家庭用または小型プロジェクションシステム構造としては適していない。
【００１６】
そのために、上述したシステムの３個のディスプレイパネル１３４，１３６，１３８をＬＣＤパネルとして構成し、白色光を発光する光源１１０を利用する代わりに、各色光（Ｒ、Ｇ、Ｂ）をディスプレイするＬＥＤを、３個のＬＣＤディスプレイパネル１３４，１３６，１３８の後方に配置して、簡単に高画質映像の実現が可能なようにする３板式ＬＣＤパネルモジュールの使用が論議されている。
【００１７】
但し、上述したような体積の問題の他にも、３板式プロジェクタシステムを立体映像上映システムに適用する場合、左側映像と右側映像をどのように分離するか、左側映像と右側映像の分離時に画質が減少するという問題をどのように解決するか、各色光の偏光方向の問題などに関する改善が必要である。
【発明の概要】
【発明が解決しようとする課題】
【００１８】
上述したような問題点を解決するために、本発明の目的は、３板式ＬＣＤディスプレイパネルモジュールを、高画質の立体映像の上映が可能なように改善した家庭用立体映像上映システムと、そのための立体映像プレーヤ及び立体映像用プロジェクタを提供することにある。
【課題を解決するための手段】
【００１９】
上述したような課題を解決するための本発明の一側面では、赤色（Ｒ）、青色（Ｂ）及び緑色（Ｇ）のいずれか一つの特定の色光を第１円偏光方向を持つように、そして前記特定の色光以外の他の２個の色光を第２円偏光方向を持つようにそれぞれ照射する第１ディスプレイパネルモジュールと、前記特定の色光を前記第２円偏光方向を持つように、そして前記特定の色光以外の他の２個の色光を前記第１円偏光方向を持つようにそれぞれ照射する第２ディスプレイパネルモジュールとを含むプロジェクタと；左側映像イメージの前記特定の色光、及び右側映像イメージの前記特定の色光以外の他の２個の色光で構成された第１映像と、前記右側映像イメージの前記特定の色光、及び前記左側映像イメージの前記特定の色光以外の他の２個の色光で構成された第２映像をそれぞれ前記第１ディスプレイモジュール及び前記第２ディスプレイモジュールに時間的に交互に提供するプレーヤと；を含む立体映像上映システムを提案する。
【００２０】
これによれば、前記第１映像及び前記第２映像のそれぞれの最大の映像の大きさは、前記プロジェクタが処理可能な最大の映像の大きさに対応することができる。
【００２１】
好ましくは、前記第１ディスプレイモジュール及び前記第２ディスプレイモジュールのそれぞれは、前記赤色（Ｒ）、青色（Ｂ）及び緑色（Ｇ）の光をそれぞれディスプレイする３個のディスプレイパネルを含む３板式ディスプレイパネルモジュールであるとよく、本実施形態に係る立体映像上映システムは、前記第１ディスプレイモジュールが照射する３色の光は透過させ、前記第２ディスプレイモジュールが照射する３色の光は反射させるハーフミラー（ｈａｌｆ−ｍｉｒｒｏｒ）をさらに含むことができる。
【００２２】
また、前記プレーヤは、前記第１映像及び前記第２映像をそれぞれ構成する映像構成モジュールと；前記第１映像及び前記第２映像を時間的に交互に前記プロジェクタに出力する出力部と；を含むことができ、更に前記プレーヤは、前記左側映像イメージ及び前記右側映像イメージをそれぞれ入力される入力部をさらに含み、前記映像構成モジュールは、前記左側映像イメージの前記特定の色光、及び前記右側映像イメージの前記特定の色光以外の他の２個の色光を組み合わせて前記第１映像を構成し、前記右側映像イメージの前記特定の色光、及び前記左側映像イメージの前記特定の色光以外の他の２個の色光を組み合わせて前記第２映像を構成することができる。
【００２３】
また、前記第１ディスプレイモジュール及び前記第２ディスプレイモジュールのいずれか一つが照射する３色の光を、半波長だけ遅延させる遅延モジュールをさらに含むことができる。
【００２４】
なお、前記プロジェクタが処理可能な最大の映像の大きさは、１９２０＊１０８０ピクセルであり、前記第１映像及び前記第２映像は、それぞれ、１９２０＊１０８０ピクセルの大きさを有することができる。
【００２５】
上述したような課題を解決するための本発明の他の一側面では、左側映像イメージの赤色（Ｒ）、青色（Ｂ）及び緑色（Ｇ）のいずれか一つの特定の色光、及び右側映像イメージの前記特定の色光以外の他の２個の色光で構成された第１映像、及び右側映像イメージの前記特定の色光、及び前記左側映像イメージの前記特定の色光以外の他の２個の色光で構成された第２映像をそれぞれ構成する映像構成モジュールと；前記第１映像及び前記第２映像を時間的に交互に出力する出力部と；を含む立体映像プレーヤを提案する。
【００２６】
この立体映像プレーヤは、前記左側映像イメージ及び前記右側映像イメージをそれぞれ入力される入力部をさらに含むことができ、この場合、前記映像構成モジュールは、前記左側映像イメージの前記特定の色光、及び前記右側映像イメージの前記特定の色光以外の他の２個の色光を組み合わせて前記第１映像を構成し、前記右側映像イメージの前記特定の色光、及び前記左側映像イメージの前記特定の色光以外の他の２個の色光を組み合わせて前記第２映像を構成することができる。
【００２７】
上述したような課題を解決するための本発明の更に他の一側面では、赤色（Ｒ）、青色（Ｂ）及び緑色（Ｇ）のいずれか一つの特定の色光を第１円偏光方向を持つように、そして前記特定の色光以外の他の２個の色光を第２円偏光方向を持つようにそれぞれ照射する第１ディスプレイパネルモジュールと；前記特定の色光を前記第２円偏光方向を持つように、そして前記特定の色光以外の他の２個の色光を前記第１円偏光方向を持つようにそれぞれ照射する第２ディスプレイパネルモジュールと；前記第１ディスプレイモジュールが照射する３色の光は透過させ、前記第２ディスプレイモジュールが照射する３色の光は反射させるハーフミラー（ｈａｌｆ−ｍｉｒｒｏｒ）と；を含み、前記第１ディスプレイモジュール及び前記第２ディスプレイモジュールのそれぞれは、前記赤色（Ｒ）、青色（Ｂ）及び緑色（Ｇ）の光をそれぞれディスプレイする３個のディスプレイパネルを含む３板式ディスプレイパネルモジュールである立体映像用プロジェクタを提案する。
【発明の効果】
【００２８】
上述したような本発明の実施形態によれば、左側映像及び右側映像の両方に既存の３板式ＬＣＤディスプレイモジュールの最大解像度を支援可能であり、左側映像と右側映像の赤色（Ｒ）、緑色（Ｇ）、青色（Ｂ）の光のそれぞれの円偏光方向を效率的に一致させる家庭用立体映像上映システムを実現することができる。
【図面の簡単な説明】
【００２９】
【図１】立体映像上映のための従来の２プロジェクタ方式のシステムの構造を示す図である。
【図２】一般の３板式プロジェクタの機能を説明するための図である。
【図３】本発明の各実施形態に利用可能な３板式ＬＣＤディスプレイモジュールの動作方式を説明するための図である。
【図４】一つの３板式ＬＣＤディスプレイモジュールを用いて立体映像をディスプレイする場合の入力映像を説明するための図である。
【図５】図３に示されたプロジェクタがディスプレイする映像において左側映像と右側映像を分離するための立体映像レンズアダプタを説明するための図である。
【図６】ＬＣｏＳ方式のプロジェクタを用いて立体映像のディスプレイを行う場合、プロジェクタの入力映像を示す図である。
【図７】本発明の好ましい一実施形態に係る６板式ＬＣＤディスプレイパネルモジュールを用いたプロジェクタの構成を示す図である。
【図８】本発明の好ましい一実施形態に係る立体映像プレーヤの動作方式を説明するための図である。
【図９】本発明の好ましい一実施形態によって立体映像プレーヤによってプロジェクタに提供される映像に対して説明するための図である。
【図１０】本発明の好ましい一実施形態に係るプレーヤの構成を示す図である。
【発明を実施するための形態】
【００３０】
以下、本発明に係る好適な実施形態を添付の図面を参照して詳細に説明する。添付の図面と共に以下で開示する詳細な説明は、本発明の例示的な実施形態を説明するためのものであり、本発明が実施され得る唯一の実施形態を示すためのものではない。
【００３１】
以下の詳細な説明は、本発明の完全な理解を提供するために具体的な詳細を含む。しかし、当業者であれば、本発明がこのような具体的な詳細なしにも実施可能であるということがわかる。場合によっては、本発明の概念が曖昧になることを避けるために公知の構造及び装置を省略したり、各構造及び装置の核心機能を中心にしたブロック図の形式で図示する。また、本明細書全体において同一の構成要素については同一の図面符号を使用して説明する。
【００３２】
上述したように、本発明では、３板式ＬＣＤディスプレイモジュールを高画質の立体映像の上映が可能なように改善した家庭用立体映像上映システムと、そのための立体映像プレーヤ及び立体映像用プロジェクタを提供する。そのために、まず、本発明の各実施形態に利用することができる３板式ＬＣＤディスプレイモジュールの具体的な動作について説明する。
【００３３】
図３は、本発明の各実施形態に利用可能な３板式ＬＣＤディスプレイモジュールの動作方式を説明するための図である。
【００３４】
上述したように、本発明の各実施形態において利用可能な３板式ディスプレイモジュールを用いたプロジェクタは、赤色（Ｒ）、緑色（Ｇ）及び青色（Ｂ）の光をそれぞれディスプレイする３個のＬＣＤパネル１３４，１３６，１３８を含むことができる。また、上述したダイクロイックプリズム１４０は、３個のＬＣＤディスプレイパネルから照射された赤色光、緑色光及び青色光を選択的に反射または透過させて、プロジェクタの前方に照射されるようにすることができる。
【００３５】
例示的に簡単に説明すると、ダイクロイックプリズム１４０は、各色光を選択的に透過または反射させるハーフミラー１４０ａ，１４０ｂを含むことができる。図３の例において、赤色（Ｒ）の光は、第１ハーフミラー１４０ａには透過され、第２ハーフミラー１４０ｂには反射されてプロジェクタの前方に照射され得る（図３のＲ１−Ｒ２）。また、緑色（Ｇ）の光は、第１ハーフミラー１４０ａ及び第２ハーフミラー１４０ｂの両方を透過してプロジェクタの前方に照射され得る（図３のＧ１−Ｇ２）。さらに、青色（Ｂ）の光は、第１ハーフミラー１４０ａには反射され、第２ハーフミラー１４０ｂには透過されてプロジェクタの前方に照射され得る（図３のＢ１−Ｂ２）。一方、上述した３板式ＬＣＤディスプレイモジュールを用いる場合、赤色（Ｒ）、緑色（Ｇ）、青色（Ｂ）の光のいずれか一つの色光の円偏光方向が、残りの２個の色光の円偏光方向と反対方向になる特徴がある。図３の例では、ダイクロイックプリズム１４０で各色光が選択的に透過、反射される方式によって、赤色（Ｒ）及び青色（Ｂ）の光は時計回り方向の円偏光方向を持ってプロジェクタの前方に照射され、緑色（Ｇ）の光は反時計回り方向を持ってプロジェクタの前方に照射されることを示している。但し、Ｒ、Ｇ、Ｂのうち、どの色光の円偏光方向が反対になるかは、３個のＬＣＤパネルがディスプレイする映像の色光の位置によって変わることができる。
【００３６】
一方、上述した３板式ＬＣＤディスプレイモジュールを立体映像上映システムに適用する場合について説明する。
【００３７】
図４は、一つの３板式ＬＣＤディスプレイモジュールを用いて立体映像をディスプレイする場合の入力映像を説明するための図であり、図５は、図３に示されたプロジェクタがディスプレイする映像において左側映像と右側映像を分離するための立体映像レンズアダプタを説明するための図である。
【００３８】
具体的に、図５に示すような３板式ＬＣＤディスプレイモジュール３００には、図４に示されたように、左側映像Ｌと右側映像Ｒが水平方向に連結された、すなわち、サイド−バイ−サイド（ｓｉｄｅ−ｂｙ−ｓｉｄｅ）方式で連結された映像が入力されてディスプレイされ得る。このように水平方向に連結された左側映像Ｌと右側映像Ｒは、図５の立体映像レンズアダプタ６００に入力され、まるで、デュアルスクリーンに映像が分離されてディスプレイされるように、左側映像Ｌは左側映像出力部Ｌに、右側映像Ｒは右側映像出力部Ｒに分離されて出力され得る。このように、立体映像レンズアダプタ６００によって分離されてディスプレイされる左側映像Ｌと右側映像Ｒのいずれか一つは、遅延モジュール６５０によって半波長だけ遅延され、これによって、左側映像Ｌと右側映像Ｒが互いに反対方向の円偏光方向を持つようにすることができる。
【００３９】
図３乃至図５と関連して、上述した例では３板式ＬＣＤモジュール方式を用いることを仮定したが、上述した方式は、ＤＬＰプロジェクタまたはＬＣｏＳ(Ｌｉｑｕｉｄ  Ｃｒｙｓｔａｌ  Ｏｎ  Ｓｉｌｉｃｏｎ）方式のプロジェクタにもそのまま適用され得る。但し、ＬＣｏＳ方式のプロジェクタを用いて立体映像のディスプレイを行う場合、プロジェクタの入力映像は、図６に示されたように、左側映像Ｌと右側映像Ｒが縦方向に連結された形態を有することができる。
【００４０】
上述したような方式により立体映像上映システムを構築する場合、次のような短所がある。
【００４１】
第一、上述したように、プロジェクタから照射された赤色（Ｒ）、緑色（Ｇ）、青色（Ｂ）の光のいずれか一つの色光の場合、残りの２個の色光と反対方向の円偏光方向を持つため、使用者にとっては、いずれか一つの色光が、左右が替わって見えるという問題がある。例えば、図３に示された例のように、Ｒ、Ｇ、Ｂの色光のうち、ＧのみがＲ、Ｂと反対方向の円偏光方向を持つ場合、使用者が着用する偏光眼鏡の左眼用レンズを通じては左側映像のＲ、Ｂと右側映像のＧが、偏光眼鏡の右眼用レンズを通じては右側映像のＲ、Ｂと左側映像のＧが見えるようになり得る。
【００４２】
第二、一つの入力映像に左側映像と右側映像が水平方向にまたは垂直方向に連結されて入力されるため、同一の画質の水準の２Ｄ映像を上映する場合に比べて、プロジェクタが処理可能な最大容量が１／２になるという問題がある。逆に、立体映像の上映時にも２Ｄ映像の上映時と同一の水準の画質を維持するためには、プロジェクタが処理可能な映像の大きさが２Ｄの場合に比べて２倍にならなければならないという問題がある。
【００４３】
具体的に、図３に示された３板式ＬＣＤディスプレイモジュールを用いて一般の２ＤフルＨＤ映像をディスプレイする場合、３板式ＬＣＤディスプレイモジュールが支援可能な最大の映像の大きさが存在するはずである。今まで、３板式ＬＣＤディスプレイモジュールを用いたプロジェクタシステムは、フルＨＤ映像のディスプレイのために、１９２０＊１０８０ピクセルの映像までディスプレイすることが可能である。また、劇場用プロジェクタシステムの場合、フルＨＤ映像のディスプレイのために、２０４８＊１０８０ピクセルの映像までディスプレイすることが可能である。このような水準の画質を３Ｄ映像の上映時にも維持するためには、図４及び図６に示されたように、左側映像Ｌ及び右側映像Ｒのそれぞれが２ＤフルＨＤ映像の大きさを有することが要求される。そのため、一般の３板式ＬＣＤパネルモジュールの利用が不可能であり、この場合、ＤＬＰ方式のプロジェクタのみを利用できるという短所がある。
【００４４】
したがって、本発明の好ましい一実施形態では、次のように改善された立体映像上映システムを提案する。
【００４５】
図７は、本発明の好ましい一実施形態に係る６板式ＬＣＤディスプレイパネルモジュールを用いたプロジェクタの構成を示す図である。
【００４６】
図７に示すように、本発明の好ましい一実施形態に係るプロジェクタは、赤色（Ｒ）、青色（Ｂ）及び緑色（Ｇ）のいずれか一つの特定の色光を第１円偏光方向を持つように、そして前記特定の色光以外の他の２個の色光を第２円偏光方向を持つようにそれぞれ照射する第１ディスプレイパネルモジュール３００Ａと、前記特定の色光を第２円偏光方向を持つように、そして前記特定の色光以外の他の２個の色光を第１円偏光方向を持つようにそれぞれ照射する第２ディスプレイパネルモジュール３００Ｂとを含むことを提案する。一般に、一つのディスプレイパネルを用いてＲ、Ｇ、Ｂの３色の光を全て表現することに比べて、Ｒ、Ｇ、Ｂをそれぞれディスプレイする３個のパネルを用いた３板式ＬＣＤパネルモジュールがより鮮明な色感を支援することができ、図７に示すように、第１ディスプレイパネルモジュール３００Ａ及び第２ディスプレイパネルモジュール３００Ｂはいずれも、それぞれＲ、Ｇ、Ｂを照射する３板式ＬＣＤディスプレイパネルモジュールであることを仮定する。
【００４７】
一方、本実施形態に係るプロジェクタは、第１ディスプレイパネルモジュール３００Ａが照射する３色の光は透過させ、第２ディスプレイパネルモジュール３００Ｂが照射する３色の光は反射させるハーフミラー（ｈａｌｆ−ｍｉｒｒｏｒ）７００を含むことが好ましい。２つの３板式ＬＣＤパネルモジュールを用いて６板式ＬＣＤパネルモジュールを構成する場合、２つの３板式ＬＣＤパネルモジュールを水平方向に、または垂直方向に配置し、それぞれ左側映像（または後述する第１映像）と右側映像（または後述する第２映像）をディスプレイする方法も思われるが、この場合、左側映像（または後述する第１映像）と右側映像（または後述する第２映像）が照射される位置が互いに異なるため、別途の手段を用いて左側映像（または後述する第１映像）の照射位置と右側映像（または後述する第２映像）の照射位置を一致させる必要がある。反面、本実施形態によれば、ハーフミラー７００を用いて、第１ディスプレイパネルモジュール３００Ａが照射する左側映像（または後述する第１映像）と第２ディスプレイパネルモジュール３００Ｂが照射する右側映像（または後述する第２映像）の照射位置を一致させることができる。
【００４８】
上述したように、２つの３板式ＬＣＤパネルモジュールを用いてプロジェクタを構成する場合、別途の立体映像レンズアダプタ６００を用いて左側映像（または後述する第１映像）と右側映像（または後述する第２映像）とを分離する必要がない。すなわち、第１ディスプレイパネルモジュール３００Ａ及び第２ディスプレイパネルモジュール３００Ｂを通じてそれぞれ照射される左側映像（または後述する第１映像）及び右側映像（または後述する第２映像）のいずれか一つを、遅延モジュール（図示せず）を用いて半波長だけ遅延させることにより、使用者が着用する左眼用レンズと右眼用レンズに、左側映像と右側映像が選択的に照射されるようにすることができる。また、図７のような６板式ＬＣＤディスプレイパネルモジュールを用いる場合、左側映像と右側映像とが連結された一つの映像の入力を受けるのではなく、第１ディスプレイパネルモジュール３００Ａと第２ディスプレイパネルモジュール３００Ｂに入力される入力映像をより自由にすることができ、これは、後述する立体映像プレーヤの動作と関連する。
【００４９】
以下では、本発明の好ましい一実施形態によって、図７と関連して、上述したプロジェクタの前段に次のような立体映像プレーヤを含むことを提案する。
【００５０】
図８は、本発明の好ましい一実施形態に係る立体映像プレーヤの動作方式を説明するための図である。
【００５１】
本実施形態に係るプレーヤ９００は、左側映像イメージの赤色（Ｒ）、青色（Ｂ）及び緑色（Ｇ）のいずれか一つの特定の色光、及び右側映像イメージの前記特定の色光以外の他の２個の色光で構成された第１映像（Ｌ’）と、右側映像イメージの前記特定の色光、及び左側映像イメージの前記特定の色光以外の他の２個の色光で構成された第２映像（Ｒ’）を、上述したプロジェクタ８００の第１ディスプレイパネルモジュール３００Ａ及び第２ディスプレイパネルモジュール３００Ｂに時間的に交互に出力する方式により動作することができる。例えば、本実施形態に係る立体映像プレーヤは、（１）左側映像のＲ、Ｂ、そして右側映像のＧを第１映像（Ｌ’）として、右側映像のＲ、Ｂ、そして左側映像のＧを第２映像（Ｒ’）として第１ディスプレイパネルモジュール３００Ａ及び第２ディスプレイパネルモジュール３００Ｂに提供するので、上述したように、プロジェクタによってＲ、Ｇ、Ｂのいずれか一つの色光が、使用者にとって、左右が替わって見えるという問題を解決することができ、（２）第１映像（Ｌ’）と第２映像（Ｒ’）が水平方向または垂直方向に連結された形態ではなく、どの一時点（ｔ１）では第１映像（Ｌ’）のみを第１ディスプレイパネルモジュール３００Ａに提供し、後続する時点（ｔ２）では第２映像（Ｒ’）のみを第２ディスプレイパネルモジュール３００Ｂに提供することにより、各時点においてプロジェクタが支援可能な最大の大きさの映像の品質を支援することができる。これを図９を参照してより具体的に説明する。
【００５２】
図９は、本発明の好ましい一実施形態によって立体映像プレーヤによってプロジェクタに提供される映像について説明するための図である。
【００５３】
本実施形態によれば、図９に示されたような第１映像（Ｌ’）及び第２映像（Ｒ’）は、一つの入力信号としてプロジェクタ８００に入力されるものではなく、時間軸に順次にプロジェクタ８００に入力される。したがって、プロジェクタ８００においては、第１映像（Ｌ’）及び第２映像（Ｒ’）がプロジェクタ８００が処理可能な最大の容量を有しても、順次に入力される第１映像及び第２映像を処理することが可能であり、既存の２Ｄ上映時に立体映像プロジェクタが最大に処理可能な映像の大きさを３Ｄ上映時にもそのまま支援することができる。図９では、本実施形態に係る立体映像プレーヤが、第１映像及び第２映像の両方とも、１９２０＊１０８０ピクセルの大きさを有することを例示的に示している。
【００５４】
図８と関連して、上述したように、立体映像プレーヤ９００は、第１映像（Ｌ’）として、左側映像のＲ、Ｂ、そして右側映像のＧをプロジェクタ８００に提供することができる。また、立体映像プレーヤ９００は、第２映像（Ｒ’）として、右側映像のＲ、Ｂ、そして左側映像のＧをプロジェクタ８００に提供することができる。このような動作を行うためのプレーヤ９００の構成は、プロジェクタ８００の入力端によって変わることができる。
【００５５】
例えば、プロジェクタ８００の入力端がＲ、Ｇ、Ｂに対して別途の入力端を有している場合（例えば、コンポーネント（ＣＯＭ）端子）、第１映像入力のためのＲ、Ｇ、Ｂ入力端子には、それぞれプレーヤの右側映像出力Ｒ、Ｂ、そして左側映像出力Ｇを、第２映像入力のためのＲ、Ｇ、Ｂ入力端子には、それぞれプレーヤの左側映像出力Ｒ、Ｂ、そして右側映像出力Ｇを連結して具現することができる。この場合、プレーヤ９００は、右側映像のＲ、Ｂ、そして左側映像のＧを第１タイミング（ｔ１）に出力し、左側映像のＲ、Ｂ、そして右側映像のＧを第２タイミング（ｔ２）に出力する方式により制御することができる。
【００５６】
一方、プロジェクタ８００の入力端がＲ、Ｇ、Ｂに対して別途の入力端を有していない場合（例えば、ＨＤＭＩ端子）、立体映像プレーヤ９００は、次のような構成を有することができる。
【００５７】
図１０は、本発明の好ましい一実施形態に係るプレーヤの構成を示す図である。
【００５８】
本実施形態に係る立体映像プレーヤ９００は、左側映像イメージの赤色（Ｒ）、青色（Ｂ）及び緑色（Ｇ）のいずれか一つの特定の色光、及び右側映像イメージの前記特定の色光以外の他の２個の色光で構成された第１映像と、右側映像イメージの前記特定の色光、及び左側映像イメージの前記特定の色光以外の他の２個の色光で構成された第２映像をそれぞれ構成する映像構成モジュール９２０と；このように構成された第１映像及び第２映像を時間的に交互にプロジェクタ８００に出力する出力部９３０と；を含むことができる。
【００５９】
また、立体映像プレーヤ９００は、左側映像イメージ及び右側映像イメージをそれぞれ入力される入力部９１０をさらに含むことができ、上述した映像構成モジュール９２０は、左側映像イメージの前記特定の色光、及び右側映像イメージの前記特定の色光以外の他の２個の色光を組み合わせて第１映像を構成し、右側映像イメージの前記特定の色光、及び左側映像イメージの前記特定の色光以外の他の２個の色光を組み合わせて前記第２映像を構成するように構成され得る。このように、プレーヤ９００の内部で第１映像及び第２映像を構成し、プロジェクタ８００の第１ディスプレイパネルモジュール３００Ａ及び第２ディスプレイパネルモジュール３００Ｂに時間的に交互に提供する場合、プロジェクタ８００の入力端がＲ、Ｇ、Ｂ信号を変えて入力することを許容せずとも、本発明に係る立体映像の上映を行うことができる。
【００６０】
上述したように開示された本発明の好適な実施形態についての詳細な説明は、当業者が本発明を具現し、実施できるように提供された。以上では、本発明の好適な実施形態を参照して説明したが、当該技術の分野における熟練した当業者であれば、下記の特許請求の範囲に記載された本発明の思想及び領域を逸脱しない範囲内で、本発明を多様に修正及び変更できるということを理解できるはずである。したがって、本発明は、ここに開示された実施形態に制限されるものではなく、ここに開示された原理及び新規の特徴と一致する最も広い範囲を与えるためのものである。
【産業上の利用可能性】
【００６１】
上述したような実施形態に係る本発明は、様々な立体映像装置に適用することができる。
【図１】
2013544371.tif 000003
【図２】
2013544371.tif 000004
【図３】
2013544371.tif 000005
【図４】
2013544371.tif 000006
【図５】
2013544371.tif 000007
【図６】
2013544371.tif 000008
【図７】
2013544371.tif 000009
【図８】
2013544371.tif 000010
【図９】
2013544371.tif 000011
【図１０】
2013544371.tif 000012
【国際調査報告】
2013544371.tif 000013
2013544371.tif 000014
2013544371.tif 000015
2013544371.tif 000016